(57)【特許請求の範囲】
【請求項１】
ドーム状部を備えた釣針収容容器であって、該ドーム状部の頂部を通る分割線に沿って分割・開放される複数の容器素体からなり、釣針を該釣針につながったハリスの先端部分と共に内部に収容するものと、
容器が開閉可能になるように、ドーム状部の先端部において容器素体を接続した容器素体接続手段と、
釣針収容容器のドーム状部の先端部を収容する凹部と該ドーム状部の中間部の傾斜外周面に当接して容器を閉状態に保持する当接・保持縁部とを備えた容器保持手段であって、凹部の底部で開口する貫通孔を備えたものと、
質量により当接・保持縁部をドーム状部の傾斜外周面に押付ける重錘手段であって中央に貫通孔を備えたものと、
一端で容器素体接続手段に接続されると共に、容器保持手段及び重錘手段の貫通孔に挿通されて突出した他端でハリスの基端部が接続されるリール糸に接続される連結手段と
を有する釣針収容具。
【請求項２】
複数の容器素体からなる釣針収容容器に対する容器保持部材の当接・保持が解除された際、釣針が釣針収容容器外に出るように釣針収容容器の複数の容器素体を開くべく複数の容器素体に弾性力を及ぼす弾性手段を有する請求項１に記載の釣針収容具。
【請求項３】
容器素体接続手段が、可撓性紐状体からなる請求項２に記載の釣針収容具。
【請求項４】
前記弾性手段が複数の開口を備えた板ばねからなり、前記可撓性紐状体が分岐されて板ばねの各開口に遊嵌された糸状体からなる請求項３に記載の釣針収容具。
【請求項５】
板ばねが、容器のドーム状部の先端部において容器素体の夫々に取外し可能に端部で係合されている請求項４に記載の釣針収容具。
【請求項６】
前記可撓性紐状体が曲げ弾性を有し、前記弾性手段になっている請求項３に記載の釣針収容具。
【請求項７】
前記複数の容器素体が一対の半割体からなる請求項１から６までのいずれか一つの項に記載の釣針収容具。
【請求項８】
前記重錘手段が前記容器保持手段と一体的に形成されている請求項１から７までのいずれか一つの項に記載の釣針収容具。
【請求項９】
前記重錘手段がウキを一体的に備える請求項１から８までのいずれか一つの項に記載の釣針収容具。
【発明の詳細な説明】
【技術分野】
【０００１】
本発明は、投げ釣りや遠投釣りに際して、釣針を遠くのポイント等に投げる際に、餌が落ちるのを防止するための釣具に係り、この釣具を、この明細書では、釣針収容具と呼ぶ。
【背景技術】
【０００２】
投げ釣りや遠投釣りに際して、釣針を遠くのポイント等に投げる際に、餌が落ちるのを防止するための釣具としては、典型的には、同軸状に連結された各種部材が着水の際又はその後に軸方向に分離するタイプのものと、側部が開くタイプのものとが提案されている。
【０００３】
前者のタイプのものは、主として撒餌を用いるもので、例えば、頂部が湾曲して突出し下端部が開口した円筒状体からなり水に浮く撒餌収納籠と該籠の開口端に嵌合され水に沈む錘の形態の下蓋体とを備え、下蓋体から延びて籠内を貫通し且つ籠の頂部から突出した軸芯の先端にリール糸をつけるようにすると共に下蓋体からハリス連結材を延ばしその先端にハリスの基端部を取り付けるようにしたものや、下蓋体の落下速度を押えるべく更に軸芯に抵抗体を設けるようにしたもの（例えば、特許文献１）が知られている。
【０００４】
しかしながら、この特許文献１に開示の撒餌具は、通常の他の釣具に釣針収容具を設けるものではなく、固有の装置で大掛かりなものになり易い。また、仮に、小型化して撒餌以外に適用しようとすると、釣針が軸芯に引っ掛るなどの不都合が生じる虞れがある。
【０００５】
このタイプに属する撒餌散布器として、開放制御を確実に行わせるべく、磁石等を可動体と組合わせて組込むことも提案されている（例えば、特許文献２）。しかしながら、この提案の撒餌散布器は構造が複雑であり、故障し易いだけでなく高価になる虞れがある。
【０００６】
一方、後者のタイプのものは、主として、錘に餌収容部を形成するという観点のもので、例えば、錘を備えた容器本体を長手方向に摺動可能にサルカンに取付ると共に、容器本体のサルカンに対する位置により、蓋が閉状態で係止されたり蓋の開放が許容されるようにすることが提案されている（例えば、特許文献３）。しかしながら、一側で係合させて摺動させようとするものであることから、容器本体のサルカンに対する変位が確実に制御され難い虞れがあるか、高価なものになり易い。
【０００７】
なお、サルカンと容器本体との間にばねを設けることも提案されている（特許文献４）。しかしながら、構造が一層複雑化するだけでなく、摺動を確保する必要があるから、長期間安定に動作し得るようにするためには、高価になり易い。
【０００８】
すなわち、従来の釣針収容具は、いずれも、構造が複雑であり、高価になり易い。また、多くの場合、錘や釣針のような通常の釣具以外の部分に専用の金属製部品その他の構造部品を要する。従って、釣糸が切れると、その度に高価な釣具を失うことになる。一方、コストを抑えて製造すると、動作不良が起こり易くなるのを避け難い。
【０００９】
なお、容器に収容した餌付き針の部分を球状体で蓋をすること（特許文献５や特許文献６）は提案されている。しかしながら、特許文献５に開示の技術では、ポイントに向かって釣針のある部分を投げる際や飛行の際に蓋が外れる虞れがある。一方、特許文献６の図７に示されたものの場合具体的にはどのような構造・機能・作用を有するのか定かでない。
【特許文献１】特開平７−３１３０３２号公報
【特許文献２】特許３６１８３０９号明細書
【特許文献３】実公平７−４８０６７号公報
【特許文献４】特開２００５−２７５８２号公報
【特許文献５】実開平７−３９４４４号公報
【特許文献６】実開平７−２８３６７号公報（図７等）
【発明の開示】
【発明が解決しようとする課題】
【００１０】
本発明は、前記した点に鑑みなされたものであって、その目的とするところは、比較的簡単な構造で、餌が落ちる虞れの少ない釣針収容具を提供することにある。
【課題を解決するための手段】
【００１１】
本発明の釣針収容具は、前記目的を達成すべく、ドーム状部を備えた釣針収容容器であって、該ドーム状部の頂部を通る分割線に沿って分割・開放される複数の容器素体からなり、釣針を該釣針につながったハリスの先端部分と共に内部に収容するものと、容器が開閉可能になるように、ドーム状部の先端部において容器素体を接続した容器素体接続手段と、釣針収容容器のドーム状部の先端部を収容する凹部と該ドーム状部の中間部の傾斜外周面に当接して容器を閉状態に保持する当接・保持縁部とを備えた容器保持手段であって、凹部の底部で開口する貫通孔を備えたものと、質量により当接・保持縁部をドーム状部の傾斜外周面に押付ける重錘手段であって中央に貫通孔を備えたものと、一端で容器素体接続手段に接続されると共に、容器保持手段及び重錘手段の貫通孔に挿通されて突出した他端でハリスの基端部が接続されるリール糸に接続される連結手段とを有し、比較的簡単な構造からなる。
【００１２】
本発明の釣針収容具では、「分割線に沿って分割・開放される複数の容器素体からなり、釣針を該釣針につながったハリスの先端部分と共に内部に収容する釣針収容容器」が設けられているので、容器素体を分割線に沿って分割することにより容器を開いて餌をつけた釣針を該容器内に配置し、該複数の容器素体を再度組合わせることにより、餌付の釣針を容器内に収容し得る。なお、このとき、ハリスは、容器素体の分割線に沿って容器外から容器内に延びた状態を採る。
【００１３】
また、本発明の釣針収容具では、「釣針収容容器がドーム状部を備えると共に該ドーム状部の頂部を通る分割線に沿って前記容器素体に分割・開放されるように構成され」、且つ「釣針収容容器のドーム状部の先端部を収容する凹部と該ドーム状部の中間部の傾斜外周面に当接して容器を閉状態に保持する当接・保持縁部とを備えた容器保持手段」が設けられているので、容器素体を分割線に沿って組合わせた状態でドーム状部が先端部で容器保持部材の凹部内に収容され且つ該ドーム状部の中間部の傾斜外周面で容器保持手段の当接・保持縁部に当接されるように容器保持手段に対して位置決めすることにより、容器を閉状態で容器保持手段に保持させ得る。
【００１４】
更に、本発明の釣針収容具では、「容器が開閉可能になるように、ドーム状部の先端部において容器素体を接続した容器素体接続手段と、質量により当接・保持縁部をドーム状部の傾斜外周面に押付ける重錘手段であって中央に貫通孔を備えたものと、一端で容器素体接続手段に接続されると共に、容器保持手段及び重錘手段の貫通孔に挿通されて突出した他端でハリスの基端部が接続されるリール糸に接続される連結手段と」が設けられているので、容器保持手段によって容器を閉状態にした状態で、連結手段のリール糸側の突出部を上に引上げるだけで、重錘手段によって容器保持手段の当接・保持縁部を容器のドーム状部の傾斜外周面に押し付け得るので、容器を閉状態に実質的に保ち得る。
【００１５】
すなわち、餌をつけた釣針を容器内に配置し容器を閉状態にして容器保持手段により保持させた後、釣り竿の先端を持ち上げて重錘手段の重量が容器保持手段にかかるようにしている限り、容器を閉状態に保ち得る。また、その状態で、重錘手段を投げるように竿を振ると、リール糸はピンと張った状態に保たれ得、重錘手段によって当接・保持縁部が容器に押付けられた状態で飛行するので、容器が容器保持手段によって閉状態に保たれ得るから、針が容器内に保たれ得、餌が釣針から落ちる虞れがない。
【００１６】
なお、所望ならば、釣針収容容器内に、餌付の釣針だけでなく、よせ餌を入れておいてもよい。
【００１７】
一方、釣針収容容器並びに該容器保持手段及び重錘手段がポイント近くの水面に落ちると、道糸に対する張力が急激に落ちるので、落下衝撃及び張力の急激な低下により、釣針収容容器と容器保持手段との間に隙間ができる。その結果、釣針収容容器に対する保持手段の保持力が解除されるので、釣針収容容器を構成する複数の容器素体が分割線に沿って分かれ始める。なお分割線（面）の少なくとも一箇所には、ハリスが通っているので、該箇所では、容器素体の分離が進行し易い。容器素体の分割線（面）に隙間のあるところでは、水が間に侵入するので、容器の容器素体への分割が助長され、容器が開かれて、餌付きの針が容器外に露出する。容器素体は、ドーム状部の先端部において容器素体接続手段により接続されているので、容器素体への分割に際しては、容器は、くす玉が割れるように開き得る。
【００１８】
ここで、釣針収容容器の外表面形状は、典型的には、球状である。但し、所望ならば、回転楕円体状や卵形であってもよく、また、一箇所にドーム状部（外表面がドーム状の部分）がある限り、容器はほぼ円錐状等他の形状でもよく、更に、場合によっては、三角錐体状でも、立法体状でもよい（一ヶ所の角部がドーム状部とみなされ得る）。なお、この明細書において、ドーム状とは、典型的には、外に凸になるように釣鐘状に湾曲した形状を指すけれども、頂部があり該頂部の周囲が頂部に向かって傾斜している限り、該湾曲が実際上なく、断面が平面状ないし直線状の形状であってもよい。
【００１９】
なお、針状収容容器が球状以外の形状である場合、分割線が通るドーム状部は、容器素体を一体化し易いように、典型的には、最も曲率の高い（尖った）部分を中心（頂部）とする部分であるけれども、場合によっては、容器素体への分割が容易に行なわれ易いように、より曲率の低い（尖りの程度の低い）部分であってもよい。
【００２０】
分割線（分割面）は、典型的には平面であるけれども、容器素体への分離を妨げない限り、湾曲していても、相補的な鋸歯状面（ギザギザの面）の如き複雑な形状の面であってもよい。
【００２１】
容器を構成する容器素体の数は、典型的には、二つであり、二つの容器素体は典型的には、同一の形状を有する半割体の形態を採る。容器が球状の場合、容器素体は、典型的には、半球状（すなわち、中空半球状）である。但し、二つの容器素体が分離可能に組合されて容器を形成し得る限り、所望ならば、二つの容器素体の大きさや形状が異なっていてもよい。また、容器を構成する容器素体の数が、三つ以上であってもよく、その場合、各容器素体が同一の大きさ及び形状であっても、少なくとも一つ又は全てが異なる大きさ・形状であってもよい。
【００２２】
なお、容器素体の相互当接面（分割面）は、典型的には、ハリスがない状態で丁度当接し、ハリスがある部分では隙間ができる。但し、所望ならば、ハリスを通す箇所を決めておいて、当該箇所に溝を形成しておき、該溝に沿ってハリスを通すようにしてもよい。
【００２３】
容器保持手段は、釣針収容容器のドーム状部の先端部を収容する凹部と該ドーム状部の中間部の傾斜外周面に当接して容器を閉状態に保持する当接・保持縁部とを備え、且つ凹部の底部で開口する貫通孔を備える限り、どのような形状でもよい。
【００２４】
ここで、当接・保持縁部をドーム状部の中間部すなわち傾斜外周面に当接させるのは、一方では、該当接により容器を閉状態に保持する力が働くようにする（平坦な端面を単に一方向に押すのではない）ためであり、他方では、過度に大きな力を加えなくても容器保持手段からの容器が分離され得るようにする（容器の最大径部の外周に当接・保持縁部が完全に嵌っている場合には容器が外れにくくなる）ためである。
【００２５】
容器が球状の外表面を備える場合、容器保持手段の当接・保持縁部は、容器の外表面の半径よりも小さい円に外接する形状を備える限り、どのような大きさ・形状であってもよい。このような当接・保持縁部は、例えば、中空半球状体ないし中空部分球状体の円形周縁部の内周縁によって与えられる。但し、円に外接し得る限り、当接・保持縁部が円形である代わりに、三角形や多角形でも他の形状でもよい。なお、容器保持手段の当接・保持縁部は、円に外接し得る限り、閉曲線を成す代わりに、三本以上の棒状部からなっていてもよい。また、容器が球状ないし円形断面以外の形状の場合、該容器の断面形状に応じて、容器保持手段の当接・保持縁部がそれに外接する形状を備える。
【００２６】
また、凹部は、容器のドーム状部の先端部を収容し得るように窪んでいる限り、球面の一部であっても、他の任意の形状でもよく、例えば、円錐状や円錐台状等であってもよい。
【００２７】
容器素体接続手段が、典型的には、可撓性紐状体からなり、該可撓性紐状体に連結手段が接続されることから、可撓性紐状体が容器の外側に配置されるので、該可撓性紐状体の配設スペースを確保すべく、容器保持手段の凹部と容器のドーム状部の先端部との間に間隙が残るように、容器保持手段の凹部が形成される。但し、例えば、容器素体接続手段が容器素体の頂部の間に組込まれる蝶番状手段からなる場合、連結手段の端部が蝶番状手段のピン状部に係合されるだけでもよいから、容器保持手段の凹部と容器のドーム状部の先端部との間に間隙がなくてもよく、容器保持手段の凹部は、容器のドーム状部の先端部と実際上相補的形状に形成されてもよい。
【００２８】
なお、容器保持手段及び重錘手段の貫通孔は、該貫通孔に挿通された連結手段が実際上自由に移動し得る大きさであればよく、遊嵌されても摺動可能状態でもよい。貫通孔は、典型的には、直線状に延びている。なお、連結手段は、典型的には、可撓性のある紐状体、典型的には、釣り糸自体からなり、例えば、道糸からなる。道糸は、リール糸と同じでも、異なっていてもよい。連結手段は、その代わりに、金属製のワイヤや剛性のあるプラスチック材料や竹等の細長い棒状体からなっていてもよい。
【００２９】
重錘手段は、典型的には、前記容器保持手段と一体的に形成されている。すなわち、典型的には、例えば、形状的には容器保持手段が満たすべき形状を備え、質量としては、重錘手段が満たすべき条件を備えた材料で、重錘手段としての機能と容器保持手段としての機能との両方を満たす構造体からなる。但し、一体物のうちの一部の部分が容器保持手段として働く部分からなり、実際上他の部分のみが重錘手段として働くように構成されていてもよい。
【００３０】
ここで、重錘手段の重錘機能は、（１）空気中にある際に錘として働く機能で、容器を吊下げたときに、重錘手段がその質量により容器保持手段の当接・保持縁部を容器のドーム状部に押付ける働き、及び釣り竿を振って釣針のある部分を投げることによりポイントまで飛行する際、その飛行を確実に行わせる錘としての働きと、（２）着水後に、釣り餌（仕掛け）のある部分を水中に沈める錘としての働きとの二種類があり、本発明においては、重錘手段は、少なくとも、（１）の機能を有するものである。
【００３１】
なお、重錘手段は、従来の錘でもよく、その場合、重錘手段は、容器保持手段に一体的に結合されていても、別体で形成されていてもよい。
【００３２】
なお、所望ならば、重錘手段が、ウキを一体的に備えていてもよい。その場合、重錘手段は、上記の二つの機能のうち（１）の機能のみを有することになる。この場合、重錘手段はウキが一体化されることにより全体としてはウキとして働くので、着水後、容器に水が入って容器が沈む際に、容器から分離される。特に、重錘手段と容器保持手段とが一体化されている場合、重錘手段と共に容器保持手段が容器から分離されることにより、容器が開かれることになる。なお、容器には分割線に沿ってハリスが挿入されているので、容器素体の間には間隙が形成されるから、水が容易に容器内に侵入し得る。勿論、所望ならば、餌（場合によっては撒餌）の漏出を避け得る程度の小さい孔が容器の壁部に形成されていてもよい。
【００３３】
本発明の釣針収容具では、典型的には、複数の容器素体からなる釣針収容容器に対する容器保持手段の当接・保持が解除された際、釣針が釣針収容容器外に出るように釣針収容容器の複数の容器素体を開くべく複数の容器素体に弾性力を及ぼす弾性手段を有する。この場合、着水後、容器素体が確実に分離され得る。なお、弾性手段自体が当接・保持の解除力をある程度与えるようになっていてもよい。但し、当接・保持が弾性手段によって解除されてしまうのを避けるべく、その弾性力は比較的小さく設定されることが好ましい。
【００３４】
本発明の釣針収容具において、容器素体接続手段が蝶番状体からなる場合、弾性手段は該蝶番を軸（ピン）に係合され該蝶番を一方向に偏倚させる渦巻き状ばね又はねじりばねであってもよいけれども、容器素体接続手段が可撓性紐状体からなる場合、弾性手段は、典型的には、前記弾性手段が複数の開口を備えた板ばねからなり、可撓性紐状体が分岐されて板ばねの各開口に遊嵌された糸状体からなる。この場合、連結手段を介して糸状体を引っ張ることにより容器のドーム状部の傾斜周面部が容器保持手段の当接・保持縁部に当接して容器が閉じられ、容器のドーム状部の傾斜周面部が容器保持手段の当接・保持縁部から離れるだけで、弾性手段による弾性力により容器素体への分離が容易に行なわれ得る。
【００３５】
この場合、好ましくは、板ばねが、容器のドーム状部の先端部において容器素体の夫々に取外し可能に端部で係合される。これにより、組立・分解が容易になる。
【００３６】
以上において、板ばねは、比較的剛性の高いプラスチック材料で形成され得る。なお、容器及び容器保持部材も剛性のあるプラスチック材料で形成され得る。従って、鉛などで形成される重錘手段を除いて、全ての部材がプラスチック材料で形成され得るので、安価で且つ取扱いも容易に行なわれ得る。
【００３７】
なお、本発明の釣針収容具において、所望ならば、容器素体接続手段を構成する可撓性紐状体が曲げ弾性を有し、前記弾性手段になっていてもよい。
【発明を実施するための最良の形態】
【００３８】
次に、本発明の好ましい実施の形態のいくつか添付図面に示した好ましい実施例に基づいて説明する。
【実施例】
【００３９】
図１から図５に示した本発明による好ましい一実施例の釣針収容具１は、針収容容器構造体２と、容器保持手段及び重錘手段が一体化されてなる錘構造体３とを備える。釣針収容具１は、ヨリモドシ４を介してリール糸５に接続された道糸６に取付けられている。ここで、リール糸５及び道糸６の全体を道糸とみなしてもよい。ヨリモドシ４には、釣針７が先端に取付けられたハリス８が基端部８ａで取付けられている。ヨリモドシ４は、なくてもよく、その逆に、ハリス８と道糸６とが別々のヨリモドシを介してリール糸５につながっていてもよい。また、ハリス８が複数あってもよい。
【００４０】
針収容容器構造体２は、針収容容器２０と、弾性手段としての板ばね４０と、容器素体接続手段としての道糸接続具５０とを備え、道糸接続具５０は、マルカン１１を介して道糸６に接続されている。道糸６と道糸接続具５０とは、マルカン１１とは異なる接続具を介してつながっていてもよく、その逆に、マルカン１１その他の接続具を介することなく、直接つながっていてもよい。但し、その場合、道糸接続具５０の丁度中間部に道糸６が接続されるか道糸接続具５０に対して道糸６の基端部の取付位置が可動な状態で道糸６が道糸接続具５０につながっていることが好ましい。
【００４１】
針収容容器２０は、一対の同一形状の容器素体としての中空半球状体２１，２１からなる。半割体としての半球状体２１，２１が環状接続面（分割面）２２，２２で相互に当接されると、全体として、外表面が半径Ｒの中空球状体Ａを形成する。中空半球状体２１は、夫々、典型的には、プラスチック材料で形成され、好ましくは、透明であるけれども、所望ならば、不透明でもよい。所望により、色や模様がついていてもよい。
【００４２】
図３の（ａ）に示したように、各中空半球状体２１は、一側縁に、円形孔２３と、長孔２４とを備える。孔２３，２４は、接合面２２，２２に対して直角な大円Ｂに沿って並んでいる。円形孔２３には、道糸接続具５０を構成する糸状接続体５１が挿通される。接続体５１の断面形状が非円形である場合には、孔２３も非円形の形状であり得る。長孔２４は、大円Ｂの延在方向に延びた長孔本体部２５と、該長孔本体部２５のうち接合面２２に近い側の端部において大円Ｂに直角な方向（面２２と平行な方向）に延びた係合孔部２６とを有する。長孔２４，２４には、板ばね４０の両端部が係合される。
【００４３】
ここで、大円Ｂと接合面２２，２２との交点Ｆ，Ｆｒを直径方向に結ぶ線に垂直な平面で見て、点Ｆを中心として半径Ｒ１の円Ｇ１に沿って長孔２４，２４の端部２４ａ，２４ａが位置するとする。径Ｒ１は、径Ｒより小さい。交点Ｆ，Ｆｒのうち孔２３，２４に近い方の交点Ｆを北極と看做して、Ｒ１より大きくＲより小さい半径Ｒ２の円Ｇ２の形態の緯線よりも北側に位置する領域を以下では、ドーム状部３０と呼ぶ。ドーム状部３０の外表面３１は、球の一部をなす。ドーム状部３０の外表面すなわちドーム状外表面３１は、点Ｆ，Ｆｒを結ぶ線及びこれに垂直な面の両方に対して傾斜している。径Ｒ２は径Ｒよりも小さい限り、径Ｒに近くてもよい。
【００４４】
板ばね４０は、図３の（ｃ）及び（ｄ）に示したように、全体として細長い長方形状の板状体４１からなる。板状体４１は、典型的には、比較的剛性の高いプラスチック材料からなる。ただし、耐錆性の金属材料でできていてもよい。
【００４５】
より詳しくは、板ばね４０は、細長い長方形状の板ばね本体部４２と、端部係合部４３，４３とを備え、本体部４２と端部係合部４３，４３の夫々との間には、一対の切欠部４４，４４が形成されている。すなわち、本体部４２と端部係合部４３，４３の夫々とは、狭幅の接続部４５，４５で一体的につながっている。
【００４６】
板ばね４０の幅方向に関する端部係合部４３，４３の長さＷ１は、中空半球状体２１の長孔２４の長さＨＬ１よりも小さく、該長孔２４の係合孔部２６の横方向長さＨＷ１よりも十分に大きい。また、板ばね４０の接続部４５の幅Ｗ２は中空半球状体２１の長孔本体部２５の幅ＨＷ２よりも大きく、係合孔部２６の長さＨＷ１よりも小さい。更に、板ばね４０の接続部４５の長さＬ１は、中空半球状体２１の厚さＴ１よりも少し大きい。なお、板ばね４０の本体部４２の長さＬ２は二つの長孔２４，２４の係合孔部２６，２６間のドーム状外表面３１に沿った距離よりも多少長い。
【００４７】
従って、板ばね４０の各端部係合部４３を中空半球状体２１の長孔２４に係合させる場合、長孔２４の向きに合わせて板ばね４０の端部係合部４３を長孔２４内に挿入し、板ばね４０の切欠部４４に中空半球状体２１の壁部２７が嵌り込むところまで端部係合部４３を挿入した状態で、板ばね４０の端部係合部４３や接続部４５を長孔２４の係合孔部２６の側に片寄らせた後、板ばね４０を９０度回転させることにより、接続部４５が長孔２４の係合孔部２６に丁度嵌り込み、端部係合部４３が奥側（半球状体２１の内側）で係合孔部２６と平行に延びるように位置決めする。次に、板ばね４０の他端の端部係合部４３をもう一つの中空半球状体２１の長孔２４に同様にして、嵌込む。この嵌込みに際しては、主として半球状体２１，２１の方を板ばね４０に対して動かせばよい。その結果、図３の（ｂ）に示したように、板ばね４０が、一対の中空半球状体２１，２１に嵌め込まれる。
【００４８】
中空半球状体２１，２１に対する板ばね４０の以上のような装着・組立は、釣りの現場で釣り人によって直接行なわれ得る。但し、所望ならば、事前に組立てておいてもよい。
【００４９】
板ばね４０によって中空半球状体２１，２１が連結された針収容容器構造素体２９は、外力を受けていない場合、例えば、図１の下部において想像線で示し図２の下部において実線で示したとおり、くす球が割れたように中空半球状体２１，２１が開いた状態Ｐ１、すなわち環状面２２，２２が大きく分かれた開位置Ｐ１を採る。一方、図１において実線で示し図２において想像線で示したように、中空半球状体２１，２１の環状面２２，２２が実際上接合するような状態Ｐ２、すなわち閉位置Ｐ２を採るためには、板ばね４０のばね力に抗する外力を要する。
【００５０】
板ばね本体部４２は、図３の（ｃ）からわかるとおり、更に、道糸接続具５０を構成する糸状接続体５１の両端部５２，５２が挿通される一対の開口としての長孔４６，４６を備える。糸状接続体５１は、例えば太目の釣り糸を短く切ったものでもよい。長孔４６は、図３の（ａ）及び（ｃ）にくわえて図３の（ｂ）からわかるとおり、中空半球状体２１の孔２３の径Ｄｈ１と同程度の幅Ｗ３で、該径Ｄｈ１よりも大きい長さＬ３を有する。長孔４６，４６は、図１の実線及び図２の想像線並びに図３の（ｂ）に示したように中空半球状体２１，２１からなる容器２０が閉状態Ｐ２にあるとき中空半球状体２１，２１の孔２３，２３に丁度対面し、且つ図１において想像線で示し図２において実線で示したように中空半球状体２１，２１からなる容器２０が開状態Ｐ１にあるとき中空半球状体２１，２１の孔２３，２３と対面する位置からそれよりも内側まで延びて、糸状接続体５１の端部５２，５２が延在する向きに丁度沿って配置されることになるような大きさ及び位置を有する。
【００５１】
糸状接続体５１の各端部５２，５２は、板ばね４０の長孔４６，４６及び中空半球状体２１，２１の孔２３，２３に挿通され、中空半球状体２１，２１の内側に突出した先端部５３，５３に肥大部５４，５４が形成されている。この先端肥大部５４，５４は、例えば、糸５１の先端部に結びをつくることにより形成され、糸状接続体５１の先端部５３，５３が板ばね４０及び中空半球状体２１，２１から外れるのを防ぐ。なお、所望ならば、中空半球状体２１の内面すなわち孔２３の内側に所望内径のワッシャを設けて肥大部５４の抜けを防ぐようにしてもよい。糸状接続体５１は、マルカン１１に通され、該マルカン１１に端部が固定された道糸６につながっている。
【００５２】
容器保持手段及び重錘手段が一体化されてなる錘構造体３は、先端部６１の細い円錐台状の重錘体６０からなる。重錘体６０は、底面６２で開口した円錐状の凹部６３を備える。凹部６３の周壁部６４のうち底面６２に位置する内縁部６５の半径Ｒ３は、Ｒ１よりも大きく且つＲ２よりも小さくて、当接・保持縁部としての内縁部６５は、ドーム状部３０の中間部３２の傾斜外周面３３に当接する大きさを有する。径Ｒ３は径Ｒ２よりも小さい限り、径Ｒ２に近くてもよい。容器２０が飛行中等に分解される虞れを最低限に抑えるためには、径Ｒ３は径Ｒに近づけられる。一方、容器２０が容器素体２１，２１に割れ易く（分かれ易く）するためには、径Ｒ３は径Ｒよりも十分に小さくされる。
【００５３】
重錘体６０は、更に、凹部６３の底部６６と先端部６１の端面６７との間において、中心軸線Ｃに沿って延びる貫通孔６８を備え、該貫通孔６８には道糸６が挿通される。ここで、容器保持手段は、重錘体６０のうち、凹部６３及び縁部６５を備えた周壁部６４並びに貫通孔６８を備えた本体部分からなる。一方、重錘手段は、貫通孔６８を備えた重錘体６０自体からなる。重錘手段としては、貫通孔６８を備え周壁部６４と一体化されている点を除き、その形状は問わない。但し、飛行に際して抵抗が低くなるように、先端部６１側ほど細くなっていることが好ましい。
【００５４】
次に、以上の如く構成された釣針収容具１の操作及び動作について、説明する。
【００５５】
まず、例えば、釣り場において、板ばね４０の両端の係合部４３，４３を前述のように中空半球状体２１，２１の対応する長孔２４，２４の係合孔部２６，２６に係合させることにより板ばね４０を中空半球状体２１，２１に取り付け、次に、糸状接続体５１をマルカン１１に通した後、前述のように、その両端部５２，５２を板ばね４０の長孔４６，４６及び中空半球状体２１，２１の孔２３，２３に通して中空半球状体２１，２１に装着する。
【００５６】
また、マルカン１１に一端を結びつけた道糸６の他端を凹部６３側から重錘体６０の貫通孔６８に挿通し、突出した先端部をリール糸５の先端に取り付けたヨリモドシ４に結びつける。一方、ハリス８の基端部８ａもヨリモドシ４に結びつける。
【００５７】
これにより、釣針収容具１の現場における組立が完了する。勿論、以上のような組立の一部又は全部を予め行っておいてもよい。
【００５８】
なお、このような組立が完了した状態であって道糸６が重錘体６０の貫通孔６８から十分に突出している場合には、板ばね４０のばね力の作用下で、釣針収容具１の容器２０は、図２において実線で示したようにくす玉が割れたような開状態Ｐ１を採る。
【００５９】
次に、釣針７に餌Ｋをつけて、餌Ｋ付き針７を中空半球状体２１，２１からなる容器２０内に入れ、中空半球状体２１，２１を接合面２２，２２で当接させて容器２０を閉状態Ｐ２に閉じる。このとき、容器２０の室２８内に収容された針７につながったハリス８は接合面２２，２２の間から容器２０の室２８外に突出する。従って、厳密には、接合面２２，２２のうちハリス８のある部分の近傍では、ハリス８の太さ分だけ隙間Ｑ（図４では誇張して大きく示してある）ができる。
【００６０】
なお、この釣針収容具１では、板ばね４０や道糸接続具５０が容器２０の実際上外側にあるので、容器２０内には餌Ｋ付きの釣針７及びハリス８の先端部だけが入る。従って、釣針７やハリス８が他の部品に引掛って正常な動作が損なわれたり、汚れなどにより正常な動作が損なわれる虞れが少ない。
【００６１】
次に、容器２０の中空半球状体２１，２１が容器２０を形成するように一方の手で支えた状態で、釣り竿の先端を持ち上げる。
【００６２】
これにより、図１に示したようにリール糸５の基端側が上方に持ち上げられるので、道糸６が貫通孔６８に沿って中心Ｃを貫通した重錘体６０は道糸６に沿って下方に下がり、凹部６３の周壁部６４の内縁部６５が中空球状容器２０のドーム状部３０の中間部３２の傾斜外表面３３に当接して、中空半球状体２１，２１をＵ方向に押し、板ばね４０のばね力に抗して、中空半球状体２１，２１を閉状態Ｐ２に保つ。リール糸５及び道糸６につながった重錘体６０が釣り竿の先端から垂れ下がって中空半球状体２１，２１のドーム状部３０の傾斜面部３２を内縁部６５で錘として押している限り、中空半球状体２１，２１からなる容器２０はこの閉状態Ｐ２に保たれる。従って、ハリス８の先端の釣針７が容器２０の室２８外に露出することがなく、針７に取り付けられた餌Ｋが外れて落ちる虞れもない。
【００６３】
なお、図４では、典型的な配置として、ハリス８が容器２０のうちドーム３０の頂点Ｆに相当する部分とは丁度反対側の点Ｆｒの近傍において容器２０内に入っている例について示されているけれども、重錘体６０の縁部６５よりも外側（図４では下側）であれば、他の部位において中空半球状体２１，２１の接合面２２，２２間に挟まっていてもよい。
【００６４】
次に、釣り竿を軽く振った後、重錘体６０を遠くに投げるように、振り出す。竿を軽く振っている間、重錘体６０の部分は、容器２０と共に振り子の如く揺動するので、容器２０が閉状態Ｐ２に保たれる。また、重錘体６０が投げ出されると、重錘体６０は、概ね、図５の（ａ）に示したように、リール糸５を先導するように、先頭になってＸ方向に飛んでいく。
【００６５】
このとき、リール糸５は先導して飛んでいく重錘体６０に引っ張られながら重錘体６０よりも後方からＸ方向に繰り出されるので、道糸６は重錘体６０の先端６１の端面６７のところで曲がった形態を採る。従って、中空半球状体２１，２１からなる容器２０は、重錘体６０の凹部６３に嵌り且つ凹部６３の周壁６４の内縁部６５で保持されて閉状態Ｐ２に保たれる。従って、ハリス８の先端にある餌Ｋ付きの釣針７は、閉状態Ｐ２にある容器２０の室２８内に保たれる。従って、釣針７につけられた餌Ｋが釣針７から外れる虞れが少ない。なお、この場合においても、より厳密には、図４に示したように、中空半球状体２１，２１の接合面２２，２２の間には、その間に挟まったハリス８の太さに起因する隙間Ｑが残っているけれども、この隙間Ｑは小さいので、該隙間Ｑの存在のゆえに餌Ｋが釣針７から外れたり重錘体６０及び球状容器２０のＸ方向の飛行が妨げられる虞れは実際上ない。
【００６６】
錐体６０及び容器２０が着水すると、リール糸５の張りが緩み、道糸６のヨリモドシ４側の端部６ａを−Ｘ方向に引張る力がなくなるので、道糸６も弛む。また、着水に伴い錐体６０及び容器２０に上下方向Ｙの衝撃がかかるので、多くの場合、容器２０が錐体６０に対してＸ方向に多少なりとも揺動される。その結果、道糸６が−Ｘ方向に引かれて、容器２０が錐体６０の保持縁部６５から外れる。
【００６７】
容器２０が錐体６０の保持縁部６５から外れると、容器２０の中空半球状体２１，２１が板ばね４０のばね力により揺動されて、容器２０がくす玉が割れるように開いて開状態Ｐ１に設定される。容器２０が開かれると、容器２０の室２８内にあった餌Ｋ付きの釣針７が容器２０外に出て、ヨリモドシ４につながったハリス８と共に垂れ下がる（図５の（ｂ）参照）。
【００６８】
なお、錐体６０及び容器２０が着水時に分離されない場合でも、錐体６０及び容器２０が水底に達したり水中の岩その他の物に当たると、リール糸５及び道糸６が弛むので、水底や岩その他の物に錐体６０が当たるときの衝撃により、傾斜面３３で縁部６５に保持された容器２０が錐体６０に対して動いて該錐体６０から分離され得る。
【００６９】
また、万一を考慮して、容器２０の錐体６０からの分離をより確実に行わせるためには、所望ならば、釣り竿をあおればよい。すなわち、釣り竿を先端をしゃくればよい。リール糸５を手許側に短時間だけ強く引くことにより、図５の（ｂ）に示したように、リール糸５が手前側にピンと張った状態になる。また、リール糸５を手前側に強く引くと、図１に示したように、道糸６もピンと張った状態になる。更に、リール糸５を手前側に強く引くと、道糸接続具５０及びマルカン１１を介して道糸６につながった容器２０が道糸６の延在方向に急激に引かれるので、容器２０及び内縁部６５で容器２０のドーム状部３０の傾斜面３３に当たった錐体６０も道糸６の延在方向に急激に動かされる。なお、釣り竿のあおり乃至しゃくりを短時間で停止することにより、リール糸５及び道糸６の手許側への引っ張りは停止される。一方、錐体６０はその大きな質量に起因する慣性力の故に、道糸６の引っ張りが停止された後でも道糸６の延在方向に沿って道糸６の基端部６ａ側に動き続け、例えば、図５の（ｂ）に示したように、ヨリモドシ４に近付く。これに対して、容器２０は比較的軽く且つ錐体６０の先端部６１の形状と比較して抵抗を受け易い形状であるから、道糸６の引っ張りが停止されると共に直ちに減速されてほぼその位置に止まる。従って、容器２０が錐体６０から完全に分離され得、板ばね４０により容器２０が開位置Ｐ１に設定される。
【００７０】
なお、容器２０が錐体６０の凹部６３の周壁６４の内縁部６５に保持された状態において、容器２０を構成する中空半球状体２１，２１の接合面２２，２２の間には、該接合面２２，２２間に挟まったハリス８の太さ分だけの間隙Ｑが形成されているので、容器２０が着水すると、容器２０の室２８内には直ちに水が入り始める。従って、容器２０の着水時の衝撃に続く水の浸入に伴う荷重バランスの変動によっても、容器２０の錐体６０からの分離が促進される。また、容器２０の室２８内が水で満たされると、容器２０の全体の密度は水の密度と同程度になるから、容器２０の動きが水によって大きく妨げられる虞れは少ない。
【００７１】
いずれにしても、以上のようにして、容器２０の着水後に、容器２０が開かれ餌Ｋ付きの釣針７が容器２０外に放出されるので、遠投や投げ釣の場合でも、餌Ｋが途中で釣針７から外れる虞れが少ない。
【００７２】
なお、容器保持機構及び重錘機能を有する錘構造体が、図６の（ａ）及び（ｂ）に示したように、浮力を与えるウキ部７０を備えた錐構造体３ｆからなっていてもよい。なお、錐構造体３では重錘体６０が（１）釣針７を投げる際等において空気中で錘として働く第１の重錘機能と（２）着水後に釣針７の近傍の道糸６を水中に沈めるための錘として働く第２の重錘機能との両方を備えていたのに対して、この錐構造体３ｆでは、重錘機能は上記の第１の重錘機能を指す。
【００７３】
図６の（ａ）及び（ｂ）に示した変形例において、図１から図５に示した部材や部位や要素と実質的に同一のものには同一の符号を付し、形状や大きさや機能等のいずれかの点で部分的に異なるものには添字ｆを付してある。
【００７４】
図６の（ａ）及び（ｂ）では、錐構造体３ｆは、重錘部６０ｆとウキ部７０とを一体的に備える。錘構造体３ｆは、例えば、密度の低い低密度部分７１と、密度の高い高密度部分７２と、二つの部分７１，７２を一体的につなぐ結合部分７３及び二つの部分７１，７２の夫々を蔽う外表面層７４，７５からなる樹脂部７６とを備える。低密度部分７１は、単なる空洞であっても、発泡樹脂材の如き軽い材料からなっていてもよい。高密度部分７２は例えば鉛からなる。ここで、重錘部６０ｆは、高密度部分７２とその外表面層７５とからなり、ウキ部７０は、低密度部分７１とその外表面層７４とからなる。
【００７５】
錐構造体３ｆは、図６の（ａ）及び（ｂ）に示した例では、ウキ部７０として十分に大きな体積を確保するように、該ウキ部７０が形成された先端部６１ｆの側が比較的大径に形成されている。但し、錐構造体３ｆが全体としてウキとして機能し得る限り、その形状は、錐構造体３と同様であってもよい。錘構造体３ｆは、錘構造体３と同様な貫通孔６８ｆを備える。
【００７６】
錐構造体３ｆの重錘部６０ｆは、ウキ部７０のための領域を確保し得るように、その形状が錐構造体３の重錘６０とは異なる点を除いて、重錘６０と同様に構成される。
【００７７】
この錐構造体３ｆを備えた釣針収容具１ｆの場合、着水後の動作を除いて、基本的には、錘構造体３を備えた釣針収容具１と同様に機能する。
【００７８】
釣り竿を振って釣針収容具１ｆを投げた場合、釣針収容具１ｆが着水するまでは、釣針収容具１と同様に、図５の（ａ）に示したように飛んでいく。着水すると、釣針収容具１ｆの針収容容器構造体２の容器２０が水中に沈むのに対して、釣針収容具１ｆの錐構造体３ｆは一旦は水面下に潜ることがあっても、ウキ部７０に起因する浮力により水面に浮き上がる。その結果、容器２０と錐構造体３ｆとの分離がより確実に行われ得る。すなわち、着水直後の時点において容器２０が錐構造体３ｆから分離されていないとしても、容器２０内への浸水に伴い容器２０が錐構造体３ｆから分離されて水面下に落ち、容器２０の分離に伴い容器２０が開かれて、餌Ｋ付きの釣針７が水中に出る。なお、容器２０の保持縁部６５ｆからの分離を確実に行わせるためには釣り竿をあおればよいことは前述のとおりである。この釣針収容具１ｇの場合、錘構造体３ｆが水面に浮かぶので、分離の確認はより容易である。
【００７９】
なお、この場合、ヨリモドシ４がウキとして働く錘構造体３ｆの上部に位置し水面上に出ることから、ハリス８は十分な長さに形成される。
【００８０】
以上においては、低密度部分７１と高密度部分７２とを樹脂で一体に固めた例について示したけれども、その代わりに、重錘部６０ｆを鉛の如き材料からなる高密度部分７２のみで形成すると共に、その中央に孔６８ｆよりも径の大きい大径孔を明けておき、通常のウキの如く低密度部分７１及び軸を備えたウキ部７０を準備してこの軸の中心に貫通孔６８ｆを開けておき、ウキ部７０の軸を大径孔に嵌着することにより、ウキ部７０と重錘部６０ｆとを一体化した錘構造体３ｆを形成してもよい。その場合、既存部品を僅かに加工するだけで、錘構造体を形成することも可能になる。
【００８１】
また、釣針収容具が容器保持機能と重錘機能との両方の機能を備えた錘構造体３を有する代わりに、図７に示した釣針収容具１ｇのように、容器保持機能を備えた容器保持手段としての容器保持部材８０と、重錘機能を備えた重錘手段としての重錘体９０とを別体で有していてもよい。
【００８２】
容器保持部材８０は、凹部６３と同様な凹部８３を備えた周壁部８４を備え、周壁部８４の開口の内周縁部８５が当接・保持縁部として働く。この例では、凹部８３が半球状で、周壁部８４も中空半球状であり、容器２０を構成する中空半球状体２１と同一形状である。但し、凹部８３内に容器２０のドーム状部３０の先端部を収容し且つ内周縁部８５でドーム状部３０の中間部３２の傾斜面３３に当接して中空半球状体２１，２１を閉状態に保持し得る限り、凹部８３の内表面形状や壁部８４の外表面形状は異なっていてもよい。容器保持部材８０は、凹部８３の底壁８６の中心Ｃを通る貫通孔８８を備え、該貫通孔８８に、道糸６が挿通される。
【００８３】
重錘体９０は、中心軸線Ｃに沿って貫通孔９８を備えた本体部９１からなり、リール糸５と容器保持部材８０との間に位置する。より詳しくは、容器保持部材８０の貫通孔８８に挿通された道糸６は更に重錘体９０の本体部９１の貫通孔９８に挿通されて、突出端６ａがヨリモドシ４に接続される。
【００８４】
この釣針収容具１ｇでは、容器保持部材８０及び重錘体９０の夫々が道糸６に対してその延在方向に可動であるだけでなく、重錘体９０が容器保持部材８０対して相対変位可能である。
【００８５】
この釣針収容具１ｇの場合にも、容器２０内に餌Ｋ付きの釣針７を収容した後、中空半球状体２１，２１を組合わせて容器２０を閉じ、釣り竿の先端を上に持ち上げた状態にすると、容器２０のドーム状部３０の傾斜面３３に容器保持部材８０の縁部８５が当接し、更に、重錘体９０が容器保持部材８０を下向きに押えて容器保持部材８０の縁部８５をドーム状部３０の傾斜面３３に押付けるので、容器２０が閉状態Ｐ２に保たれる。
【００８６】
次に、釣り竿を振って重錘体９０と共にこの釣針収容具１ｇを投げる。釣り竿を振った際、当初は、竿の先端の動きに対する慣性抵抗となって重錘体９０が動き始めるので、重錘体９０は道糸６に対して張力を与える状態で容器２０に押付けられた状態に保たれる。また、ヨリモドシ４もリール糸５や道糸６（両方を、道糸と呼んでも、リール糸と呼んでもよい）に対しては多少なりとも重錘として働くので、釣り竿の振り出しの際にヨリモドシ４より先端側のヨリモドシ４の近傍のリール糸５も実際上張力がかかった状態になる。釣り竿の揺動に伴って二重振り子のようにして振出される重錘体９０は、容器２０に押付けられた状態を保ったまま釣り竿より前に飛出し、その後は、例えば、図５の（ａ）に示したのと同様に、釣針収容具１ｇの全体が一纏まりになって飛んでいくので、容器２０が容器保持部材８０によって閉じられた状態に保たれたまま着水する。着水後は、その衝撃で重錘体９０が離れ、容器保持部材８０に対する規制が解除されるので、容器２０が容器保持部材８０から離れて、容器２０が板ばね４０により開かれ、餌Ｋ付きの釣針７が露出して、垂れ下がる。
【００８７】
なお、この釣針収容具１ｇの場合、重錘体９０と容器保持部材８０とが別体であるので、重錘体９０が容器保持部材８０に対して横に倒れることもあり得る。但し、その場合でも、飛行中は、容器保持部材８０及び容器２０はリール糸５と同様に、先頭になって飛行する重錘体９０に引っ張られるので、容器保持部材８０が重錘体９０の下端部９９によって容器２０に押付けられる状態に保たれ易く、容器２０の開放が容器保持部材８０によって禁止されるから、容器２０が飛行途中で開いてしまう虞れが比較的少ない。この例の場合、保持をできるだけ確実にするように、縁部８５が容器２０の外周面の直径に近い比較的大きな径を有することが好ましい。
【００８８】
また、釣針収容具は、ばねと道糸接続具とを別体で備える代わりに、一体に備えていてもよい。図８でには、ゴムの如く曲げ弾性のある材料からなる太いヒモからなる道糸接続具１００を備えた釣針収容具１ｈが示されている。
【００８９】
この釣針収容具１ｈにおいて、図１から図５に示した部材、部位ないし要素と同一のものには同一の符号が付され、形状や構造や機能等のうち少なくとも一つにおいて部分的に異なる点があるものには添字ｈが付されている。
【００９０】
この例では、容器２０ｈを構成する中空半球状体２１ｈ，２１ｈの夫々は、孔２３，２４の代わりに、一つの孔２３ｈを備える。孔２３ｈの形成される部位は、典型的には、孔２３の部位と同じか孔２３と孔２４との間の部位である。孔２３ｈは、典型的には、円形孔からなる。
【００９１】
道糸接続具１００は、横断面が円形で太くて十分な曲げ弾性のあるゴムひも１０１からなる。このゴムひも１０１の径は、孔２３ｈの径とほぼ同一であり、ゴムひも１０１の両端部１０２，１０２は、孔２３ｈ，２３ｈに挿通され、中空半球状体２１，２１の内面側に突出した突出端部１０３，１０３にワッシャの如き環状板状体１０４，１０４が嵌められ、更に、突出した先端部１０５，１０５に抜け防止用の肥大部１０６，１０６が形成されている。肥大部１０６は糸を巻きつけることにより形成しても、ピンを先端部１０５，１０５に横向きに挿すことにより形成してもよい。なお、環状板状体１０４を嵌める代わりに、突出端部１０３，１０３に抜け防止用のピンを挿してもよい。ピンは金属であってもよいけれども、剛性の比較的高いプラスチック材料であり得る。
【００９２】
なお、ゴムひも１０１は、中間部がマルカン１１に挿通され、該マルカン１１に端部が結び付けられた道糸６に、該マルカン１１を介してつながっている。
【００９３】
釣針収容具１ｈのその他の点は、釣針収容具１と同様に、構成される。
【００９４】
以上のように構成された釣針収容具１ｈにおいて、太いゴムひも１０１からなる道糸接続具１００が、板ばね４０及び道糸接続具５０と同様に機能するので、釣針収容具１ｈが釣針収容具１と同様に機能し得ることは明らかであろう。
【００９５】
以上においては、針収容容器２０が中空球状体からなる例について説明したけれども、容器保持部材として働く部材６０，３ｆ（６０ｆ），８０等の縁部６５，８５等によって容器のドーム状部が当接・保持されて閉状態に保たれ、該当接・保持が解除されると、容器が開状態を採り得る限り、その形状や構造は異なっていてもよい。
【００９６】
また、以上においては、道糸接続具と道糸との間にマルカンが用いられる例について説明したけれども、道糸の端部が道糸接続具に直接結び付けられていても、他の連結部材を介して接続されてもよい。同様に、ハリス８が道糸６と同一のヨリモドシに接続される代わりに別のヨリモドシに接続されていてもよく、場合によっては、直接リール糸に接続されていてもよい。その場合、道糸とリール糸との間のヨリモドシもなくてもよい。
【図面の簡単な説明】
【００９７】
【図１】本発明による好ましい一実施例の釣針収容具の断面説明図。
【図２】図１の釣針収容具において容器が開位置にある状態を示した断面説明図。
【図３】図１の釣針収容具の針収容容器構造体を説明するためのもので、（ａ）は容器の平面説明図、（ｂ）は容器に板ばね及び道糸接続具を取り付けてなる針収容容器構造体の平面説明図、（ｃ）は板ばねの平面説明図、（ｄ）は（ｃ）の板ばねの右側面説明図。
【図４】図１の釣針収容具において容器が開位置にある状態においてハリスが一対の中空半球状体の接合面の間に挟まった状態を拡大し間隙を誇張して大きく示した断面説明図。
【図５】図１の釣針収容具を投げた後の状態を示したもので、（ａ）は飛行状態を示した断面説明図、（ｂ）は（ａ）の釣針収容具の着水後、あおることにより容器を開位置にした状態をを示した断面説明図。
【図６】図１の釣針収容具の一変形例を示したもので、（ａ）は容器が開位置にある状態を示した断面説明図、（ｂ）は容器が閉位置にある状態を示した断面説明図。
【図７】図１の釣針収容具の別の一変形例についての断面説明図。
【図８】図１の釣針収容具の更に別の一変形例についての断面説明図。
【符号の説明】
【００９８】
１，１ｆ，１ｇ，１ｈ  釣針収容具
２  針収容容器構造体
３，３ｆ，３ｇ  錘構造体
４  ヨリモドシ
５  リール糸
６  道糸
７  釣針
８  ハリス
１１  マルカン
２０  針収容容器
２１，２１ｈ  中空半球状体
２２  接合面
２３，２３ｈ  孔
２４  長孔
２６  係合孔部
２７  壁部
２８  室
２９  針収容容器構造素体
３０  ドーム状部
３１  ドーム状外表面
３２  中間部
３３  傾斜面部
４０  板ばね
４２  板ばね本体部
４３  端部係合部
４４  切欠部
４５  接続部
４６  長孔
５０  道糸接続具
５１  糸状接続体
５２  端部
５３  先端部
５４  先端肥大部
６０  重錘体
６０ｆ  重錘部
６１  先端部
６２  底面
６３  凹部
６４  周壁部
６５  内縁部
６６  底部
６７  端面
６８  貫通孔
７０  ウキ部
７１  低密度部分
７２  高密度部分
７３  結合部分
７４，７５  外表面層
８０  容器保持部材
８３  凹部
８４  周壁部
８５  内周縁部
８６  底壁
８８  貫通孔
９０  重錘体
９１  本体部
９８  貫通孔
９９  下端部
１００  道糸接続具
１０１  ゴムひも
１０２  端部
１０３  突出端部
１０４  環状板状体
１０５  突出先端部
１０６  肥大部
Ａ  中空球状体
Ｆ  頂点
Ｋ  餌
Ｑ  間隙
【図１】
0004461071.tif 000002
【図２】
0004461071.tif 000003
【図３】
0004461071.tif 000004
【図４】
0004461071.tif 000005
【図５】
0004461071.tif 000006
【図６】
0004461071.tif 000007
【図７】
0004461071.tif 000008
【図８】
0004461071.tif 000009